(57)【特許請求の範囲】
【請求項１】
本体部に発光源を収容し、その発光源の照射光を、本体部の前側の内カバー部に形成した光透孔部より放出させて透光カバーを発光させるようにした呼出表示灯において、上記発光源は、上記内カバー部の後側に設置され、上記光透孔部の前部には、上記内カバーの表面上を開閉するように軸支して傾動位置を可変調整可能な１枚の遮光フラップ板を付設して、上記光透孔部より放出される照射光の投射領域を、全開から全閉に至るまでの範囲で調整できるようにした呼出表示灯。
【請求項２】
上記遮光フラップ板は、光透孔部を開閉する板部と、上記本体部に回動可能に枢支された軸部とから構成され、上記遮光フラップ板は、軸部の回動位置を調整することによって、上記光透孔部から放出される照射光の照射領域を調整可能にしている請求項１に記載の呼出表示灯。
【請求項３】
上記遮光フラップ板の軸部は、光透孔部から放出される照射光が、透光カバーの一部に影を生じさせないように切欠部を形成している請求項１又は２のいずれかに記載の呼出表示灯。
【請求項４】
上記遮光フラップ板の先縁部は、透光カバー内面に沿った湾曲した形状に形成されている請求項１〜３のいずれかに記載の呼出表示灯。
【請求項５】
上記遮光フラップ板は、半透明の素材で形成され、遮光フラップ板で上記光透孔部を閉じたときには、上記透光カバーの発光輝度を弱める構成にしている請求項１〜４のいずれかに記載の呼出表示灯。
【請求項６】
上記透光カバーの内面には、略半球状の小さな凸部を多数形成して光拡散面を形成している請求項１〜５のいずれかに記載の呼出表示灯。
【請求項７】
上記透光カバーの内面には、不揃いの小さな凹部を多数形成して光拡散面を形成している請求項１〜５のいずれかに記載の呼出表示灯。
【請求項８】
上記透光カバーの内面には、略三角錐形状の凹凸部を多数形成して光拡散面を形成している請求項１〜５のいずれかに記載の呼出表示灯。
【請求項９】
上記透光カバーの内面は、滑らかな球面形状に形成されている請求項１〜８のいずれかに記載の呼出表示灯。
【請求項１０】
上記請求項１〜９の呼出表示灯に、呼出音鳴動装置を内蔵させて構成された発光呼出チャイム。
【請求項１１】
上記発光源がキセノンランプで構成された請求項１０に記載の発光呼出チャイム。
【請求項１２】
呼出スイッチと、請求項１０または１１に記載の発光呼出チャイムとを信号線で接続し、呼出スイッチの操作時には、上記発光呼出チャイムを所定の発光呼出パターンで駆動する構成としている発光呼出システム。
【発明の詳細な説明】
【０００１】
【発明の属する技術分野】
本発明は、本体部に高輝度の発光源を収容し、その発光源の照射光を、本体部に形成した光透孔部より放出させて透光カバーを発光させるようにした呼出表示灯、発光呼出チャイム及び発光呼出システムに関する。
【０００２】
【従来の技術】
一般に、発光呼出チャイムは、耳の不自由な人、騒音が多くて呼出音の聞きにくい現場、呼出音を出力させない静粛な環境条件下で使用されており、呼釦を押すことによって、発光源からフラッシュ光が放射されて、来訪者があることを知らせるようになっている。
【０００３】
このような発光呼出チャイムとして、例えば、本出願人が先に出願した特願平８−２５３５１６号に記載されたものがある。この発光呼出チャイムは、図２３と図２４に示すように、後側ハウジングａと、前側ハウジングｂと、後側ハウジングａの前面に配設され、光源ｃからの光を前方に向けて透光する透孔部ｄを有する内カバーｅと、この透孔部ｄを開閉する遮光板ｆと、後側ハウジングａの両側部に設けられた透光部ｇと、前側ハウジングｂの前面に設けられた透光部ｈとを備えている。
【０００４】
この発光呼出チャイムは、内カバーｅの透孔部ｄを、遮光板ｆを左右にスライドすることによって開閉して、光源ｃからの光を前方に照射したり、前方への照射を遮断して両側部の透光部ｇからのみ光源ｃからの光を両側方に向けて照射するようにしている。尚、符号ｉは、光源ｃを立設したプリント基板である。
【０００５】
【発明が解決しようとする課題】
ところが、図２３と図２４に示すように、上記発光呼出チャイムにおいては、遮光板ｆを左右にスライドして透孔部ｄを開閉する構造であったために、遮光板ｆを左右にスライドするスペースを確保しなければならないので、チャイム全体が厚い構造となるという問題があった。
【０００６】
更に、構造が複雑であり、デザインの自由度が少ないなどの問題があった。本発明は、上記問題を解消し、構造が簡単で薄型化を図ることができ、本体部の前側に形成された光透孔部から透過される光の照射光量を自由に調整することができる呼出表示灯、発光呼出チャイム及び発光呼出システムを提供することを目的としている。
【０００７】
【課題を解決するための手段】
本発明は、上記目的を達成するために提案されたものであって、請求項１の呼出表示灯は、本体部に発光源を収容し、その発光源の照射光を、本体部の前側の内カバー部に形成した光透孔部より放出させて透光カバーを発光させるようにした呼出表示灯において、上記発光源は、上記内カバー部の後側に設置され、上記光透孔部の前部には、上記内カバーの表面上を開閉するように軸支して傾動位置を可変調整可能な１枚の遮光フラップ板を付設して、上記光透孔部より放出される照射光の投射領域を、全開から全閉に至るまでの範囲で調整できるようにしている。
【０００８】
請求項２の呼出表示灯は、上記遮光フラップ板が、光透孔部を開閉する板部と、上記本体部に回動可能に枢支された軸部とから構成され、上記遮光フラップ板は、軸部の回動位置を調整することによって、上記光透孔部から放出される照射光の照射領域を調整可能にしている。
【０００９】
請求項３の呼出表示灯は、上記遮光フラップ板の軸部は、光透孔部から放出される照射光が、透光カバーの一部に影を生じさせないように切欠部を形成している。請求項４の呼出表示灯は、上記遮光フラップ板の先縁部が、透光カバー内面に沿った湾曲した形状に形成されている。
【００１０】
請求項５の呼出表示灯は、上記遮光フラップ板が、半透明の素材で形成され、遮光フラップ板で上記光透孔部を閉じたときには、上記透光カバーの発光輝度を弱める構成にしている。請求項６の呼出表示灯は、上記透光カバーの内面には、略半球状の小さな凸部を多数形成して光拡散面を形成している。
【００１１】
請求項７の呼出表示灯は、上記透光カバーの内面には、不揃いの小さな凹部を多数形成して光拡散面を形成している。請求項８の呼出表示灯は、上記透光カバーの内面には、略三角錐形状の凹凸部を多数形成して光拡散面を形成している。請求項９の呼出表示灯は、上記透光カバーの内面が、滑らかな球面形状に形成されている。
【００１２】
請求項１０の発光呼出チャイムは、上記請求項１〜９の呼出表示灯に、呼出音鳴動装置を内蔵させて構成されている。請求項１１の発光呼出チャイムは、上記発光源がキセノンランプで構成されている。請求項１２の発光呼出システムは、呼出スイッチと、請求項１１または１２に記載の発光呼出チャイムとを信号線で接続し、呼出スイッチの操作時には、上記呼出発光チャイムを所定の発光呼出パターンで駆動する構成としている。
【００１３】
【発明の実施の形態】
以下、本発明に係る呼出表示灯、発光呼出チャイム及び発光呼出システムの実施の形態について、図とともに説明する。図１〜図６は、第１例の呼出表示灯１を示しており、この呼出表示灯１は、高輝度のキセノンランプからなる発光源２をプリント基板２ａに立設した状態で収容した後側本体３Ａと内カバー部３ａに水平向きに長方形の光透孔部３ｂを形成した前側本体３Ｂとからなる正面視円形の本体部３と、この本体部３の前側本体３Ｂの光透孔部３ｂを開閉する板部４ａと前側本体３Ｂに回動可能に枢支される軸部４ｂとこの軸部４ｂを前側本体３Ｂの外周面側で回動操作するためのハンドル４ｃとからなる遮光フラップ板４と、前側本体３Ｂの前面に装着される半球形状の透光カバー５とで構成されている。
【００１４】
本体部３の前側本体３Ｂの外周壁と内カバー部３ａの内側面とには、遮光フラップ板４の軸部４ｂを枢支するための孔部３ｃ、３ｄが形成されており、これらの孔部３ｃ、３ｄに、遮光フラップ板４の軸部４ｂが挿通され、外周壁の孔部３ｃから突出した軸部４ｂの先端に、ハンドル４ｃが取着されるようになっている。
【００１５】
遮光フラップ板４の板部４ａは、正面視半円弧状に形成されており、ハンドル４ｃを回動操作することによって、光透孔部３ｂを開閉して、光透孔部３ｂより放出される発光源２からの照射光の投射領域を、全開から全閉に至るまでの範囲で調整できるようになっている。すなわち、遮光フラップ板４の傾斜角度位置を調整することによって、光透孔部３ｂから放出される照射光の照射量と照射領域を同時に規定でき、全閉状態では遮光フラップ板４は、光透孔部３ｂの前部を塞ぐので、照射光量はゼロとなり、全開の状態では遮光フラップ板４は、全閉の状態から１８０度回転して、光透孔部３ｂの前部を完全に開放するので、光透孔部３ｂより照射された照射光量はそのまま前方に放出される。
【００１６】
そして、全閉全開の中間位置では、光透孔部３ｂから放出される照射光量は変化しないが、遮光フラップ板４の存在する方への照射は遮光されるので、照射領域を任意の方向に向けられる。したがって、呼出表示灯１を壁に取り付ける場合の高さ、取付け位置に応じて、必要な方向に照射光を向けることが可能となる。また、図７〜図８に示すように、遮光フラップ板４の軸部４ｂには、斜めに削除した切欠部４ｄを形成し、光透孔部３ｂから放出される照射光が、透光カバー５の一部に影部Ｋを生じさせないようにしている。
【００１７】
また、図１０，図１１に示すように、遮光フラップ板４の板部４ａの先縁部４ｅは、半球形状の透光カバー５の内面に沿った湾曲した形状に形成されており、板部４ａを最大限大きく形成できるので、本体部３の前側本体３Ｂの内カバー部３ａに形成された光透孔部３ｂも最大限に大きく形成することができる。尚、遮光フラップ板４を、着色された半透明性材料で形成することによって、光透孔部３ｂを板部４ａで塞いだときに、発光源２を点灯あるいは点滅することによって、透光カバー５に遮光フラップ板４の色が浮き上がるようにすることもできる。
【００１８】
また、遮光フラップ板４を、半透明の素材で形成することによって、遮光フラップ板４の板部４ａで光透孔部３ｂを閉じたときに、透光カバー５の発光輝度を弱めるようにすることもできる。図１２は、本体部３の後側本体３Ａと前側本体３Ｂとの間に、側面発光リング６を配設した呼出表示灯１を示している。
【００１９】
このように構成すれば、発光源２からの照射光でこの側面発光リング６が発光して、外周面からも発光させることができる。図１３〜図１６は、第２例の呼出表示灯１Ａを示すものである。尚、上記第１例の呼出表示灯１と同一部材には、同一符号を付して説明を省略する。この第２例の呼出表示灯１Ａでは、遮光フラップ板４の板部４ａを、正面視長方形に形成してあり、更に正面視円形状の透光カバー５Ａを、本体部３の前側本体３Ｂに装着するように構成されている。
【００２０】
図１７，図１８に示す透光カバー５Ａの内面には、図１９に示すように、略半球状の小さな凸部５ａが多数形成されて光拡散面５ｂを形成している。このように、光拡散面５ｂを形成することによって、透光カバー５Ａが照射されて発光したときに、その光が透光カバー５Ａから外部に向けて拡散されて放出される。
【００２１】
尚、この透光カバー５Ａの拡散面５ｂは、図２０に示すように、不揃いの小さな凹部５ｃを多数形成して形成することもでき、また、図２１に示すように、略三角錐形状の凹凸部５ｄ，５ｅを多数形成して形成することもできる。図２２は、呼出表示灯１に呼出音鳴動装置を内蔵して構成した発光呼出チャイム１０と、呼出スイッチ２０とを接続ボックス３０を介して信号線Ｌで接続した発光呼出システムのブロック図である。
【００２２】
この発光呼出システムでは、呼出スイッチ２０の操作時には、発光呼出チャイム１０を所定の発光呼出パターンで駆動するようにしている。
【００２３】
【発明の効果】
以上説明したように、請求項１の呼出表示灯によれば、光透光部の前部に、傾動位置の可変調整可能な１枚の遮光フラップ板を付設したので、この遮光フラップ板によって、光透光部を開閉することによって、光透光部から放出される照射光の照射量と照射領域を同時に規定できる。
【００２４】
したがって、壁に取付ける場合の高さ、取付け位置に応じて、必要な方向に照射光を向けることができる。請求項２の呼出表示灯によれば、遮光フラップ板は、光透孔部を開閉する板部と、上記本体部に回動可能に枢支された軸部とから構成されているので、構造が簡単であり、呼出表示灯全体の薄型化を図ることができる。
【００２５】
請求項３の呼出表示灯によれば、遮光フラップ板の軸部に、切欠部を形成しているので、光透孔部から放出される照射光が、透光カバーの一部に影を生じさせないようにすることができる。
【００２６】
請求項４の呼出表示灯によれば、遮光フラップ板の先縁部は、透光カバーの内面に沿った湾曲した形状に形成しているので、遮光フラップ板を大きく形成することができ、この遮光フラップ板で開閉される光透孔部も大きく形成することができて、光透孔部から照射される光量を大きくすることができる。請求項５の呼出表示灯によれば、遮光フラップ板は、半透明の素材で形成されているので、遮光フラップ板で光透孔部を閉じたときに、透光カバーの発光輝度を弱めることができる。
【００２７】
請求項６〜８の呼出表示灯によれば、透光カバーの内面に、略半球状の小さな凸部あるいは不揃いの小さな凹部または略三角錐形状の凹凸部を多数形成して光拡散面を形成しているので、透光カバーに発光源からの光が照射されたときに、透光カバーから外部に向けて拡散された光を発光でき、光が直進しないため、光が照らす範囲が広くなり、かつ光の眩しさを押さえることができる。
【００２８】
請求項９の呼出表示灯によれば、透光カバーの内面は、滑らかな球面けいじいうに形成されているので、光の照射角をより広くすることができる。請求項１０の発光呼出チャイムによれば、内蔵された呼出音鳴動装置によって、呼出音を出すことができるので、来訪者があることを呼出音でも確認することができる。
【００２９】
請求項１１の発光呼出チャイムによれば、発光源がキセノンランプで構成されているので、キセノンランプからフラッシュ光を照射することができて、来訪者のあることをより分かり易くできる。請求項１２の発光呼出システムによれば、呼出スイッチの操作時に、発光呼出チャイムを所定の発光呼出パターンで駆動することができ、来訪者のあることを容易に知ることができる。
【図面の簡単な説明】
【図１】本発明に係る呼出表示灯の第１例を示す分解斜視図である。
【図２】第１例の呼出表示灯の透光カバーを組み付ける直前の全閉じ状態を示す分解斜視図である。
【図３】第１例の呼出表示灯の全閉状態の縦断面図である。
【図４】第１例の呼出表示灯の透光カバーを組み付ける直前の全開状態を示す分解斜視図である。
【図５】第１例の呼出表示灯の全開状態の縦断面図である。
【図６】第１例の呼出表示灯の組付け後の状態を示す斜視図である。
【図７】遮光フラップ板の軸部に切欠部を形成した呼出表示灯の断面図である。
【図８】図７に示す呼出表示灯の光の照射状態を示す説明図である。
【図９】軸部に切欠部を形成した遮光フラップ板の斜視図である。
【図１０】遮光フラップ板の先縁部を透光カバーの内面に沿った形状に形成した呼出表示灯の断面図である。
【図１１】図１０に示す呼出表示灯の遮光フラップ板を全閉した状態の内部構造図であく。
【図１２】第２例の呼出表示灯に、側面発光リングを配設する状態を示す分解斜視図である。
【図１３】第２例の呼出表示灯の透光カバーを取り付けする直前の分解斜視図である。
【図１４】第２例の呼出表示灯の遮光フラップ板の正面図である。
【図１５】第２例の呼出表示灯の全閉じ状態の縦断面図である。
【図１６】第２例の呼出表示灯の外観を示す斜視図である。
【図１７】第２例の呼出表示灯の透光カバーの斜視図である。
【図１８】第２例の呼出表示灯の透光カバーの縦断面図である。
【図１９】略半球状の小さな凸部を多数形成して光拡散面を形成した透光カバーの部分拡大断面図である。
【図２０】不揃いの小さな凹部を多数形成して光拡散面を形成した透光カバーの部分拡大断面図である。
【図２１】略三角錐形状の凹凸部を多数形成して光拡散面を形成した透光カバーの部分拡大断面図である。
【図２２】本発明に係る発光呼出システムの構造を示すブロック図である。
【図２３】従来の発光呼出チャイムにおける遮光板を閉じた状態を示し、（Ａ）は、その分解斜視図、（Ｂ）はその横断面図である。
【図２４】従来の発光呼出チャイムにおける遮光板をスライドして開いた状態を示し、（Ａ）は、その分解斜視図、（Ｂ）はその横断面図である。
【符号の説明】
１，１Ａ 呼出表示灯
２ 発光源
３ 本体部
３ｂ 光透孔部
４ 遮光フラップ板
４ａ 板部
４ｂ 軸部
４ｄ 切欠部
５，５Ａ 透光カバー
５ａ 凸部
５ｂ 光拡散面
５ｃ 凹部
５ｄ，５ｅ 凹凸部
１０ 発光呼出チャイム
２０ 呼出スイッチ
Ｌ 信号線
【図１】
0003584649.tif 000002
【図２】
0003584649.tif 000003
【図３】
0003584649.tif 000004
【図４】
0003584649.tif 000005
【図５】
0003584649.tif 000006
【図６】
0003584649.tif 000007
【図７】
0003584649.tif 000008
【図８】
0003584649.tif 000009
【図９】
0003584649.tif 000010
【図１０】
0003584649.tif 000011
【図１１】
0003584649.tif 000012
【図１２】
0003584649.tif 000013
【図１３】
0003584649.tif 000014
【図１４】
0003584649.tif 000015
【図１５】
0003584649.tif 000016
【図１６】
0003584649.tif 000017
【図１７】
0003584649.tif 000018
【図１８】
0003584649.tif 000019
【図１９】
0003584649.tif 000020
【図２０】
0003584649.tif 000021
【図２１】
0003584649.tif 000022
【図２２】
0003584649.tif 000023
【図２３】
0003584649.tif 000024
【図２４】
0003584649.tif 000025